(57)【特許請求の範囲】
【請求項１】
半導体素子駆動装置と、上記半導体素子駆動装置を制御する制御装置と、上記半導体素子駆動装置又は上記制御装置のいずれかに設けられた第１、第２のコネクタ部と、上記半導体素子駆動装置と上記制御装置とを各々接続する第１、第２の光ケーブルと、上記第１、第２の光ケーブルの端部に各々設けられた第３、第４のコネクタ部とを備え、
上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であることを特徴とする半導体素子駆動ユニット。
【請求項２】
半導体素子駆動装置は、送信用の端子に接続され故障を検出して故障信号を出力する故障検出部を備え、
制御装置は、受信用の端子に接続され上記故障信号に基づいて故障処理をする故障処理部を備えていることを特徴とする請求項１記載の半導体素子駆動ユニット。
【請求項３】
故障検出部は、送信用の端子に接続され重故障を検出してその故障信号を出力する重故障検出部と、重故障検出部が接続される端子とは異なる送信用の端子に接続され軽故障を検出してその故障信号を出力する軽故障検出部とからなり、
故障処理部は、異なる２つの受信用の端子に接続され上記故障信号に基づいて軽故障処理又は重故障処理を行なうことを特徴とする請求項２記載の半導体素子駆動ユニット。
【請求項４】
制御装置は、異なるコネクタ部の送信用の端子に接続され半導体素子のオンオフ指令を生成するオンオフ指令生成部を備え、
半導体素子駆動装置は、異なるコネクタ部の受信用の端子に接続されオンオフ信号に基づいて半導体スイッチング素子を駆動する駆動部を備えていることを特徴とする請求項１記載の半導体素子駆動ユニット。
【請求項５】
第１、第２のコネクタ部を備え、端部に第３のコネクタ部を有する第１の光ケーブル、及び、端部に第４のコネクタ部を有する第２の光ケーブルを介して制御装置と接続されてなる半導体素子駆動装置において、
上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であることを特徴とする半導体素子駆動装置。
【請求項６】
第１、第２のコネクタ部を備え、端部に第３のコネクタ部を有する第１の光ケーブル、及び、端部に第４のコネクタ部を有する第２の光ケーブルを介して半導体素子駆動装置と接続されてなる制御装置において、
上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であることを特徴とする制御装置。
【発明の詳細な説明】
【０００１】
【発明が属する技術分野】
本発明は、半導体素子の駆動を行なう半導体素子駆動ユニット、半導体素子駆動装置及び制御装置に関するものである。
【０００２】
【従来の技術】
電力用のスイッチング素子としてＧＴＯやＧＣＴ等の半導体素子が用いられるが、これらの半導体素子はそれ自体のみでは動作することができないため、別途半導体素子駆動ユニットを設けて半導体素子を駆動させるようになっている。
【０００３】
図１０は上記従来の半導体素子駆動ユニットを示す図である。図に示すように、半導体素子駆動ユニットは、変換器主回路としての半導体素子１に接続され半導体素子１を駆動させる半導体素子駆動装置２と、この半導体素子駆動装置２を制御する制御装置３とで構成されており、半導体素子駆動装置２には第１、第２のコネクタ部４、５が、制御装置３には第１、第２のコネクタ部６、７が設けられている。
【０００４】
そして、これらの装置２、３は、半導体素子駆動装置２の第１、第２のコネクタ部４、５が制御装置３の第１、第２のコネクタ部６、７にそれぞれ対応するように、端部にコネクタ部が設けられた光ケーブル８、９により接続されている。このように、光ケーブル３を介して各装置２、３を接続することで、低電圧の制御装置３と高電圧部位に属する半導体素子駆動装置２（半導体素子１）との絶縁が保てるようになっている。
【０００５】
図１１は図１０に示した半導体素子駆動ユニットの詳細（半導体素子を含む）を示す回路図である。図に示すように、制御装置３のＯＮ／ＯＦＦ指令生成部３１でＯＮ／ＯＦＦ指令が生成され、生成されたＯＮ／ＯＦＦ指令が第１のコネクタ部６の送信用端子（光発光素子）６ａと、第２のコネクタ部７の送信用端子（光発光素子）７ａに送信される。
【０００６】
送信用端子６ａ、７ａに送られた信号は、光発光素子により光信号に変換され、第１、第２の光ケーブル８、９を介して半導体素子駆動装置２の受信用端子４ｂ、５ｂにそれぞれ送信される。なお、光ケーブルを介した送信では、一般には、ＯＮ時には光有りで、ＯＦＦ時には光無しで送信される。
【０００７】
半導体素子駆動装置２の受信用端子（光受信素子）４ｂ、５ｂに送信された駆動信号は、論理和（ＯＲ）回路２１で論理和がとられた後、後段のバッファ回路２２、インバータ回路２３を介してターンオン回路２４、ターンオフ回路２５に入力される。
【０００８】
なお、ターンＯＮ電源２４ａ、ターンＯＮスイッチ２４ｂ、定電流回路２４ｃからなるターンオン回路２４では、ターンオン制御が、ターンオフ電源２５ａ、ターンオフスイッチ２５ｂからなるターンオフ回路２５ではターンオフ制御がなされる。
【０００９】
また、第１、第２の光ケーブル８、９の光信号のうちの１本が喪失してしまったことを知らせるために、半導体素子駆動装置２の排他的論理和（ＥＸＯＲ）回路２６で２つのＯＮ／ＯＦＦ指令の排他的論理和がとられ、その出力が第１のコネクタ部４の送信用端子（光発光素子）４ａに送信される。さらに、電源監視部２７で半導体素子駆動装置内電源の電圧をが監視され、異常の有無を知らせる電源監視用信号が第２のコネクタ部５の送信用端子（光発光素子）５ａに送信される。
【００１０】
そして、送信用端子４ａ、５ａに送られた信号は、第１、第２の光ケーブル８、９を介して制御装置３の受信用端子６ｂ、７ｂにそれぞれ送信され、これらの信号は、それぞれ軽故障３２ａ、重故障３２ｂとして取り上げられて故障処理部３３で故障処理がなされる。
【００１１】
故障処理部３３では、光ケーブル８、９の光信号のうち１本を喪失した場合等の軽故障時には、残りの光信号により半導体素子１の駆動が可能であるので、例えば定期点検までは運転継続させるが点検時に修理するような故障処理を行い、また、半導体素子駆動装置２の電源が喪失した場合等の重故障時には、変換器として運転継続できないため変換器を停止するような故障処理を行う。
【００１２】
【発明が解決しようとする課題】
従来の半導体素子駆動ユニットは上記のようになされていたので、電力用の半導体素子を高信頼で運転維持することはできるものの、光ケーブルのコネクタが、半導体素子駆動装置（制御装置）の第１、第２のコネクタ部の両方に結合できるため、図１２（ａ）に示すように、正常に接続された場合には、正しく動作するが、図１２（ｂ）に示すように、誤って正常時とは逆に接続された場合には、異なった信号が授受されることになり、誤動作が生じるという問題点があった。
【００１３】
又、例えば図１１に示すように、軽故障用の信号と重故障用の信号とが光ケーブルを介して送信される場合には、図１２（ｂ）に示すように、逆に接続されると、故障発生時に故障信号が取り違えられてしまい、軽故障の発生時に重故障と、重故障の発生時に軽故障と間違えられて処理されてしまう。その結果、正しい故障処理が行なえず、特に重故障を軽故障と判断し、運転継続を行ってしまうと、故障停止が行われずに、故障被害が拡大してしまうという問題点があった。
【００１４】
本発明は上記のような課題を解決するためになされたものであり、簡単な構造で、コネクタの接続ミスによる誤動作を防止することが可能な半導体素子駆動ユニット、半導体素子駆動装置及び制御装置を提供することを目的とするものである。
【００１５】
【課題を解決するための手段】
本発明にかかる半導体素子駆動ユニットは、半導体素子駆動装置と、上記半導体素子駆動装置を制御する制御装置と、上記半導体素子駆動装置又は上記制御装置のいずれかに設けられた第１、第２のコネクタ部と、上記半導体素子駆動装置と上記制御装置とを各々接続する第１、第２の光ケーブルと、上記第１、第２の光ケーブルの端部に各々設けられた第３、第４のコネクタ部とを備え、上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であるようにしたものである。
【００１６】
また、半導体素子駆動装置が、送信用の端子に接続され故障を検出して故障信号を出力する故障検出部を備え、制御装置が、受信用の端子に接続され上記故障信号に基づいて故障処理をする故障処理部を備えるようにしてもよい。
【００１７】
また、故障検出部が、送信用の端子に接続され重故障を検出してその故障信号を出力する重故障検出部と、重故障検出部が接続される端子とは異なる送信用の端子に接続され軽故障を検出してその故障信号を出力する軽故障検出部とからなるようにし、故障処理部が、異なる２つの受信用の端子に接続され上記故障信号に基づいて軽故障処理又は重故障処理を行なうようにしてもよい。
【００１８】
さらに、制御装置が、異なるコネクタ部の送信用の端子に接続され半導体素子のオンオフ指令を生成するオンオフ指令生成部を備え、半導体素子駆動装置が、異なるコネクタ部の受信用の端子に接続されオンオフ信号に基づいて半導体スイッチング素子を駆動する駆動部を備えるようにしてもよい。
【００１９】
また、本発明にかかる半導体素子駆動装置は、第１、第２のコネクタ部を備え、端部に第３のコネクタ部を有する第１の光ケーブル、及び、端部に第４のコネクタ部を有する第２の光ケーブルを介して制御装置と接続されてなる半導体素子駆動装置において、上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であるようにしたものである。
【００２０】
また、本発明にかかる制御装置は、第１、第２のコネクタ部を備え、端部に第３のコネクタ部を有する第１の光ケーブル、及び、端部に第４のコネクタ部を有する第２の光ケーブルを介して半導体素子駆動装置と接続されてなる制御装置において、上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であるようにしたものである。
【００２１】
【発明の実施の形態】
実施の形態１．
図１はこの実施の形態１の半導体素子駆動ユニット（半導体素子を含む）を示す回路図である。なお、図１において、図１１と同じものについては同一符号を付してその説明を省略する。
【００２２】
図において、４、５は半導体素子駆動装置２に設けられた第１、第２のコネクタ部、６、７は制御装置３に設けられた第１、第２のコネクタ部である。ここで、第１、第２のコネクタ部４、５、６、７は、光ケーブル８のコネクタ部と光ケーブル９のコネクタ部との両方に結合することができるもので、その結合が１通りの結合しか行なえないよう、即ち例えば一方のコネクタ部に切り欠きを、他方のコネクタ部にこの切り欠きに嵌合する凸部を設け２通りの結合ができないようになっている。
【００２３】
半導体素子駆動装置２に設けられた第１のコネクタ部４は、論理和回路２１に各々接続される受信用の端子（光受信素子）４ｃと受信用の端子（光受信素子）４ｄとで構成されており、同一の光ケーブル（第１の光ケーブル８）を介して制御装置３からのオン／オフ指令信号を受信できるようになっている。
【００２４】
また、半導体素子駆動装置２に設けられた第２のコネクタ部５は、排他的論理和（ＥＸＯＲ）回路２６に接続される送信用の端子（光発光素子）５ｃと、電源監視部２７に接続される送信用の端子（光発光素子）５ｄとで構成されており、軽故障が発生したか否かを判断するための信号及び重故障が発生したか否かを判断するための信号を同一の光ケーブル（第２の光ケーブル９）を介して送信できるようになっている。
【００２５】
一方、制御装置３に設けられた第１のコネクタ部６は、オン／オフ指令生成部３１に接続される送信用の端子（光発光素子）６ｃと送信用の端子（光発光素子）６ｄとで構成されており、オン／オフ指令を同一の光ケーブル（第１の光ケーブル８）を介して半導体素子駆動装置２に送信できるようになっている。
【００２６】
また、制御装置３に設けられた第２のコネクタ部７は、故障処理部３３の軽故障用信号の配線に接続される受信用の端子（光受信素子）７ｃと、故障処理部３３の重故障用信号の配線に接続される受信用の端子（光受信素子）７ｄとで構成されており、同一の光ケーブル（第２の光ケーブル９）を介して半導体素子駆動装置２からの故障信号を受信できるようになっている。
【００２７】
上記光ケーブル８、９のコネクタ部、半導体素子駆動装置２の第１、第２のコネクタ部４、５、制御装置３の第１、第２のコネクタ部６、７としては、例えば、ＪＩＳ−Ｃ−５９７７に制定されたＦ０８形の２心光ファイバコネクタを用いればよい。なお、他の形式のもの、あるいは２心以外のものを用いてよいことは言うまでもない。
【００２８】
図２は図１に示した第１、第２の光ケーブル８、９のコネクタ部の一例を示す図で、図２（ａ）は正面図、図２（ｂ）は側面図、図２（ｃ）は上面図である。図に示すように、光ケーブル８、９のコネクタとしては、半導体素子駆動装置２、制御装置４に設けられたコネクタ部との１通りの結合が可能で、かつ、結合されるコネクタ部の端子に対応する端子を有するものであればよい。
【００２９】
図３は図１に示した半導体素子駆動装置２の第２のコネクタ部５、制御装置３に設けられた第１のコネクタ部６の一例を示す図で、図３（ａ）は側面図、図３（ｂ）は正面図である。図に示すように、半導体素子駆動装置２の第２のコネクタ部５（制御装置３に設けられた第１のコネクタ部６）のコネクタとしては、光ケーブル８、９のコネクタ部と１通りの結合が可能で、かつ、送信用の端子（送信ＴＸ）を２つ有するものであればよい。
【００３０】
図４は図１に示した半導体素子駆動装置２の第１のコネクタ部４、制御装置３に設けられた第２のコネクタ部７の一例を示す図で、図４（ａ）は側面図、図４（ｂ）は正面図である。図に示すように、半導体素子駆動装置２の第１のコネクタ部４（制御装置３に設けられた第２のコネクタ部７）のコネクタとしては、光ケーブル８、９のコネクタ部と１通りの結合が可能で、かつ、受信用の端子（受信ＲＸ）を２つ有するものであればよい。
【００３１】
次に動作について説明する。
図５は図１に示した半導体素子駆動ユニットにおける光ケーブル８、９の接続状態を示す図で、図５（ａ）は光ケーブルが正常に接続された状態のものを、図５（ｂ）は光ケーブルが誤って逆方向に接続された状態のものを示す図である。
【００３２】
図５（ａ）に示すように、光ケーブル８、９が正しく接続された場合には、制御装置３からオン／オフ指令等の制御信号が半導体素子駆動装置２の制御回路に正しく送信されて動作する。そして、半導体素子駆動装置２から故障判断信号が制御装置３の故障処理回路に正しく送信されて正しい故障処理がなされる。
【００３３】
それに対して、図５（ｂ）に示すように、光ケーブル８、９が誤って逆に接続された場合には、半導体素子駆動装置２側の送信と制御装置３側の送信、又、半導体素子駆動装置２側の受信と制御装置３側の受信同士が接続されることになり、制御信号（駆動信号）の送信とともに、故障信号も送信できないため、半導体素子１が駆動される前に安全に故障停止させることができる。
【００３４】
この実施の形態１では、半導体素子駆動装置又は制御装置のいずれかに第１、第２のコネクタ部を設けると共に、第１、第２の光ケーブルの端部に各々第３、第４のコネクタ部を設け、第１、第２のコネクタ部が各々第３、第４のコネクタ部と１通りの結合が可能であって、第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用で、第１のコネクタ部の第２の端子と第２のコネクタ部の第２の端子のいずれか一方が送信用で他方が受信用であるようにしたので、誤って、第１の光ケーブルの第３のコネクタ部を第２のコネクタ部に、第２の光ケーブルの第４のコネクタ部を第１のコネクタ部に挿入してしまっても、コネクタの結合はされるものの、送信用の端子は送信用の端子に、受信用の端子は受信用の端子に対応することになるので、正常時に対応する端子以外の端子からの信号が受信用の端子に届くことがなく、半導体素子駆動装置又は制御装置において誤動作が生じるのを防止することができる。
【００３５】
また、故障信号が送信される場合には、これらの信号が誤って正常時に送信される回路以外に送信されるのを防止することができ、さらに、複数のレベルの故障信号が送信される場合においても、故障信号が取り違えられることがなくなるので、重故障が軽故障と判断されて処理されることを防止することができる。
【００３６】
実施の形態２．
実施の形態１では、半導体素子駆動装置、制御装置の各コネクタ部における第１、第２の端子を両方とも送信用、又は受信用にしているが、この実施の形態２では、第１のコネクタ部の第１、第２の端子を送信用、受信用とし、第２のコネクタ部の第１、第２の端子を受信用、送信用とし、コネクタの接続ミスによる誤動作を防止するようにしたものである。
【００３７】
図６はこの実施の形態２の半導体素子駆動ユニット（半導体素子を含む）を示す回路図である。なお、図６において、図１と同じものについては同一記号を付してその説明を省略する。
【００３８】
図において、４、５は半導体素子駆動装置２に設けられた第１、第２のコネクタ部、６、７は制御装置３に設けられた第１、第２のコネクタ部である。また、第１、第２のコネクタ部４、５、６、７は、光ケーブル８、９のコネクタ部に対して１通りに結合されるものである。
【００３９】
半導体素子駆動装置２に設けられた第１のコネクタ部４は、排他的論理和回路２６に接続される送信用端子４ｅと、論理和回路２１に接続される受信用端子４ｆとで構成されており、第２のコネクタ部５は、電源監視部２７に接続される送信用端子５ｅと、論理和回路２１に接続される受信用端子５ｆとで構成されている。
【００４０】
一方、制御装置３に設けられた第１のコネクタ部６は、オン／オフ指令生成部３１に接続される送信用端子６ｅと、故障処理部３３の軽故障用信号の配線に接続される受信用端子６ｆとで構成されており、第２のコネクタ部７は、オン／オフ指令生成部３１に接続される送信用端子７ｅと、故障処理部３３の重故障用信号の配線に接続される受信用端子７ｆとで構成されている。
【００４１】
上記光ケーブル８、９のコネクタ部、半導体素子駆動装置２の第１、第２のコネクタ部４、５、制御装置３の第１、第２のコネクタ部６、７としては、例えば、実施の形態１と同様ＪＩＳ−Ｃ−５９７７に制定されたＦ０８形の２心光ファイバコネクタを用いればよいが、半導体素子駆動装置２、制御装置３の各コネクタは実施の形態１と異なり送信用端子と受信用端子とを有するものを用いるようにする。なお、光ケーブル８、９のコネクタ部は実施の形態１と同様のものを用いればよい。
【００４２】
図７は図６に示した半導体素子駆動装置２、制御装置３に設けられた第１のコネクタ部４、６の一例を示す図で、図７（ａ）は側面図、図７（ｂ）は正面図である。図に示すように、第１のコネクタ部のコネクタとしては、光ケーブル８、９のコネクタ部と１通りの結合が可能で、かつ、受信用の端子（受信ＲＸ）と、送信用の端子（送信ＴＸ）とを有するものであればよい。
【００４３】
図８は図６に示した半導体素子駆動装置２、制御装置３に設けられた第２のコネクタ部５、７の一例を示す図で、図８（ａ）は側面図、図８（ｂ）は正面図である。図に示すように、第２のコネクタ部のコネクタとしては、光ケーブル８、９のコネクタ部と１通りの結合が可能で、かつ、送信用の端子（送信ＴＸ）と、受信用の端子（受信ＲＸ）とを有するものであればよい。
【００４４】
次に動作について説明する。
図９は図６に示した半導体素子駆動ユニットにおける光ケーブル８、９の接続状態を示す図で、図９（ａ）は光ケーブルが正常に接続された状態のものを、図９（ｂ）は光ケーブルが誤って逆方向に接続された状態のものを示す図である。
【００４５】
図９（ａ）に示すように、光ケーブル８、９が正しく接続された場合には、図５（ａ）に示した場合と同様に正常な動作がなされる。しかし、図９（ｂ）に示すように、光ケーブル８、９が誤って逆に接続された場合には、図５（ｂ）の場合と同様に半導体素子駆動装置２側の送信と制御装置３側の送信、又、半導体素子駆動装置２側の受信と制御装置３側の受信同士が接続されることになり、半導体素子１の駆動信号の送信とともに、故障信号も送信できないため、半導体素子１が駆動される前に安全に故障停止させることができる。
【００４６】
この実施の形態では、制御信号（駆動信号）を２本の光ケーブルを用いて送信するようにしているので、実施の形態１の効果に加えて、一方の光ケーブルの光量低下や折れなどの異常状態においても他方の光ケーブルで送信される信号により半導体素子１の駆動を維持できるようになっている。
【００４７】
また、この実施の形態１、２では、半導体素子駆動装置を半導体素子に別途設けたものとして説明しているが、半導体素子駆動装置は、半導体素子と半導体素子を駆動させる駆動回路とからなるものを用いてもよい。
【００４８】
また、この実施の形態１、２では、両端に着脱可能なコネクタ部を有する光ケーブルを用いて半導体素子駆動装置と制御装置とを接続しているが、一端にのみ着脱可能なコネクタ部を設けた光ケーブル（他端は半導体素子駆動装置又は制御装置に接続されている）を用いて半導体素子駆動装置と制御装置とを接続させてもよい。
【００４９】
また、この実施の形態１、２では、故障レベルの異なる２つの故障信号を半導体素子駆動装置から制御装置に送るようにしているが、送信する一方の信号を故障信号とは異なる信号にしてもよい。
【００５０】
【発明の効果】
本発明にかかる半導体素子駆動ユニットは、半導体素子駆動装置と、上記半導体素子駆動装置を制御する制御装置と、上記半導体素子駆動装置又は上記制御装置のいずれかに設けられた第１、第２のコネクタ部と、上記半導体素子駆動装置と上記制御装置とを各々接続する第１、第２の光ケーブルと、上記第１、第２の光ケーブルの端部に各々設けられた第３、第４のコネクタ部とを備え、上記第１のコネクタ部が上記第３、第４のコネクタ部と各々１通りの結合が可能で、上記第２のコネクタ部が上記第３、第４のコネクタ部と各々１通りの結合が可能であって、上記第１、第２のコネクタ部が上記第３のコネクタ部との結合時にこの第３のコネクタ部の第１、第２の端子に各々対応する第１、第２の端子を有すると共に、上記第１のコネクタ部の第１の端子と上記第２のコネクタ部の第１の端子のいずれか一方が送信用で他方が受信用であり、上記第１のコネクタ部の第２の端子と上記第２のコネクタ部の第２の端子のいずれか一方が送信用で他方が受信用であるようにしているので、コネクタの接続ミスによる誤動作を防止することができる。
【００５１】
また、半導体素子駆動装置が、送信用の端子に接続され故障を検出して故障信号を出力する故障検出部を備え、制御装置が、受信用の端子に接続され上記故障信号に基づいて故障処理をする故障処理部を備えている場合には、故障信号が誤って正常時に送信される回路以外に送信されるのを防止することができる。
【００５２】
また、故障検出部が、送信用の端子に接続され重故障を検出してその故障信号を出力する重故障検出部と、重故障検出部が接続される端子とは異なる送信用の端子に接続され軽故障を検出してその故障信号を出力する軽故障検出部とからなり、故障処理部が、異なる２つの受信用の端子に接続され上記故障信号に基づいて軽故障処理又は重故障処理を行なうようにした場合には、重故障が軽故障として処理されるのを防止することができる。
【００５３】
さらに、制御装置が、異なるコネクタ部の送信用の端子に接続され半導体素子のオンオフ指令を生成するオンオフ指令生成部を備え、半導体素子駆動装置が、異なるコネクタ部の受信用の端子に接続されオンオフ信号に基づいて半導体スイッチング素子を駆動する駆動部を備えている場合には、一方の光ケーブルで異常が生じても他方の光ケーブルを用いて半導体素子の駆動を維持することができる。
【図面の簡単な説明】
【図１】  本発明の実施の形態１の半導体素子駆動ユニットを示す回路図である。
【図２】  図１に示した第１、第２の光ケーブルのコネクタ部の一例を示す図である。
【図３】  図１に示した半導体素子駆動装置の第２のコネクタ部、制御装置に設けられた第１のコネクタ部の一例を示す図である。
【図４】  図１に示した半導体素子駆動装置の第１のコネクタ部、制御装置に設けられた第２のコネクタ部の一例を示す図である。
【図５】  図１に示した半導体素子駆動ユニットにおける光ケーブルの接続状態を示す図である。
【図６】  本発明の実施の形態２の半導体素子駆動ユニットを示す回路図である。
【図７】  図６に示した半導体素子駆動装置、制御装置に設けられた第１のコネクタ部の一例を示す図である。
【図８】  図６に示した半導体素子駆動装置、制御装置に設けられた第２のコネクタ部の一例を示す図である。
【図９】  図６に示した半導体素子駆動ユニットにおける光ケーブルの接続状態を示す図である。
【図１０】  従来の半導体素子駆動ユニットを示す図である。
【図１１】  図１０に示した半導体素子駆動ユニットの詳細を示す回路図である。
【図１２】  図１０に示した半導体素子駆動ユニットにおける光ケーブルの接続状態を示す図である。
【符号の説明】
１    半導体素子                  ２    半導体素子駆動装置
３    制御装置
４    半導体素子駆動装置の第１のコネクタ部
４ａ、４ｃ、４ｄ、４ｅ  送信用端子（光発光素子）
５    半導体素子駆動装置の第２のコネクタ部
５ａ、５ｃ、５ｄ、５ｅ  送信用端子（光発光素子）
６    制御装置の第１のコネクタ部
６ａ、６ｃ、６ｄ、６ｅ  送信用端子（光発光素子）
７    制御装置の第２のコネクタ部
７ａ、７ｃ、７ｄ、７ｅ  送信用端子（光発光素子）
８    第１の光ケーブル            ９    第２の光ケーブル
２１    論理和回路                ２２    バッファ回路
２３    インバータ回路            ２４    ターンオン回路
２４ａ  ターンＯＮ電源            ２４ｂ  ターンＯＮスイッチ
２４ｃ  定電流回路                ２５    ターンオフ回路
２５ａ  ターンオフ電源            ２５ｂ  ターンオフスイッチ
３１    ＯＮ／ＯＦＦ指令生成部    ３３    故障処理部
【図１】
0004005334.tif 000002
【図２】
0004005334.tif 000003
【図３】
0004005334.tif 000004
【図４】
0004005334.tif 000005
【図５】
0004005334.tif 000006
【図６】
0004005334.tif 000007
【図７】
0004005334.tif 000008
【図８】
0004005334.tif 000009
【図９】
0004005334.tif 000010
【図１０】
0004005334.tif 000011
【図１１】
0004005334.tif 000012
【図１２】
0004005334.tif 000013